(57)【特許請求の範囲】
【請求項１】
反射型の表示媒体を含む表示部に表示される画像の初期化期間のうち、少なくとも一部の期間で前記表示媒体に照射される光の照度が、前記画像が認識される光の照度として予め定めた照度未満になるように、光源から前記表示媒体に照射される光の照度を制御する制御手段
を備えた表示媒体の駆動装置。
【請求項２】
前記制御手段は、前記表示媒体に照射される光の照度を徐々に減少して前記予め定めた照度未満になるように、前記光源から前記表示媒体に照射される光の照度を制御する
請求項１記載の表示媒体の駆動装置。
【請求項３】
前記制御手段は、前記画像の初期化期間中に表示されるリセット画像のうち、当該リセット画像の明度が予め定めた明度より低いリセット画像を表示している期間は、前記表示媒体に照射される光の照度が前記予め定めた照度未満になるように、前記光源から前記表示媒体に照射される光の照度を制御する
請求項１又は請求項２記載の表示媒体の駆動装置。
【請求項４】
前記表示部は複数の前記表示媒体を含み、
前記表示媒体の各々に対応して設けられた前記光源により光が照射される前記表示媒体の各々を、予め定めた順序に従って順次初期化する初期化手段を更に備えた
請求項１〜請求項３の何れか１項に記載の表示媒体の駆動装置。
【請求項５】
前記初期化手段は、前記画像のうち初期化が必要な部分に対応した前記表示媒体を前記予め定めた順序に従って順次初期化する
請求項４に記載の表示媒体の駆動装置。
【請求項６】
前記初期化手段は、前記表示部に含まれる複数の前記表示媒体の各々を、前記予め定めた順序に従って順次初期化する
請求項４又は請求項５記載の表示媒体の駆動装置。
【請求項７】
前記初期化手段は、前記表示部に含まれる複数の前記表示媒体のうち、少なくとも２つ以上の前記表示媒体を含む表示媒体群毎に、前記予め定めた順序に従って順次初期化する
請求項４又は請求項５記載の表示媒体の駆動装置。
【請求項８】
前記初期化手段は、前記表示媒体に表示する前記画像毎に設定された前記予め定めた順序に従って順次初期化する
請求項４〜請求項７の何れか１項に記載の表示媒体の駆動装置。
【請求項９】
前記初期化手段は、前記表示媒体の初期化が終了する前までに、他の前記表示媒体の初期化を開始する
請求項４〜請求項８の何れか１項に記載の表示媒体の駆動装置。
【請求項１０】
前記表示媒体は、少なくとも一方が透光性を有する一対の基板間と、前記一対の基板間に封入された分散媒に分散され、前記一対の基板間に形成された電界に応じて移動し始める閾値及び色が異なる複数種類の粒子群と、を含む
請求項１〜請求項９の何れか１項に記載の表示媒体の駆動装置。
【請求項１１】
コンピュータを、請求項１〜請求項１０の何れか１項に記載の駆動装置を構成する制御手段及び初期化手段として機能させるための表示媒体の駆動プログラム。
【請求項１２】
反射型の表示媒体を含む表示部と、
請求項１〜請求項１０の何れか１項に記載の表示媒体の駆動装置と、
を備えた表示装置。
【請求項１３】
前記表示部を照射する光源を更に備えた
請求項１２記載の表示装置。
【請求項１４】
反射型の表示媒体を含む表示部と、前記表示部を照射する光源とを有する複数の表示ユニットと、
前記複数の表示ユニットを駆動する請求項１〜請求項１０の何れか１項に記載の表示媒体の駆動装置と、
を備えた表示システム。
【発明の詳細な説明】
【技術分野】
【０００１】
本発明は、表示媒体の駆動装置、駆動プログラム、表示装置及び表示システムに関する。
【背景技術】
【０００２】
特許文献１には、各画素の画素回路によって制御される電気泳動方式表示素子と、照度センサと、表示制御部とを有し、前記表示制御部は、前記照度センサで検出した照度に応じて、前記電気泳動方式表示素子で表示する文字を拡大して表示するよう画像信号を補正する機能、及び画像の階調表示を行うための前記画像信号の階調数を補正する機能を含むことを特徴とする電子書籍が開示されている。
【０００３】
特許文献２には、フレキシブルな上基板と下基板とを備えた表示素子と、フレキシブルな導光シートとを有するフロントライト付表示素子であって、前記下基板は、前記上基板より大きく延伸部を有し、前記導光シートも、前記上基板より大きくし、前記導光シートが、平らな面で固定されるように、前記導光シートと前記表示素子とを互いに固定したことを特徴とするフロントライト付表示素子が開示されている。
【０００４】
特許文献３には、正または負に帯電する複数の第１の粒子と、前記第１の粒子と反対の極に帯電し前記第１の粒子よりも光の反射率が低い色の複数の第２の粒子とを収容する複数の収容部を備える表示層を有し、前記複数の収容部のそれぞれに電界を作用させて、前記複数の収容部のそれぞれが前記表示層の一方の面側に前記第２の粒子が偏在しているとともに前記収容部中に前記第１の粒子が分散している第１の表示状態、または、前記表示層の他方の面側に前記第２の粒子が偏在しているとともに前記収容部中に前記第１の粒子が分散している第２の表示状態となることにより、前記表示層の前記一方の面側に設けられた表示面に所望の画像を表示する表示シートであって、前記表示面に表示された第１の画像を該第１の画像と異なる第２の画像に切り替える際には、前記複数の収容部に前記第２の画像を表示するための電界を作用させるのに先立って、前記複数の収容部のうちの少なくとも前記第１の表示状態となっている前記収容部に第２の表示状態とするためのリセット用電界を作用させるリセット期間を有し、前記リセット期間は、前記一方の面側に前記第２の粒子を移動させるとともに前記他方の面側に前記第１の粒子を移動させる第１の期間と、前記第１の期間より後であって前記一方の面側に前記第１の粒子を移動させるとともに前記他方の面側に前記第２の粒子を移動させる第２の期間とを有することを特徴とする表示シートが開示されている。
【０００５】
特許文献４には、情報を表示するための電気泳動表示装置であって、電気泳動粒子の２つの群であって、正に帯電した電気泳動粒子の１つの群と負に帯電にした電気泳動粒子の１つの群とを有し、第１群の電気泳動粒子の色は第２群の電気泳動粒子の色と同じである、電気泳動粒子の２つの群、駆動信号を受信するための各々の表示素子に関連付けられた第１電極、第２電極及び第３電極、並びに表示される情報に従って、中間的光学状態を実現するために前記電極に前記駆動信号を印加するための制御手段を有することを特徴とする電気泳動表示装置が開示されている。
【先行技術文献】
【特許文献】
【０００６】
【特許文献１】特開２０１１−０５３６６２号公報
【特許文献２】特開２０１３−０８８５０１号公報
【特許文献３】特開２０１２−００８２０９号公報
【特許文献４】特表２００６−５０３３２０号公報
【発明の概要】
【発明が解決しようとする課題】
【０００７】
本発明は、画像の初期化中にリセット画像を表示する場合と比較して、広告効果の低減を抑制することができる表示媒体の駆動装置、駆動プログラム、表示装置及び表示システムを提供することを目的とする。
【課題を解決するための手段】
【０００８】
上記目的を達成するために、請求項１記載の表示媒体の駆動装置の発明は、反射型の表示媒体を含む表示部に表示される画像の初期化期間のうち、少なくとも一部の期間で前記表示媒体に照射される光の照度が、前記画像が認識される光の照度として予め定めた照度未満になるように、光源から前記表示媒体に照射される光の照度を制御する制御手段を備える。
【００１１】
請求項２記載の発明は、前記制御手段は、前記表示媒体に照射される光の照度を徐々に減少して前記予め定めた照度未満になるように、前記光源から前記表示媒体に照射される光の照度を制御する。
【００１２】
請求項３記載の発明は、前記制御手段は、前記画像の初期化期間中に表示されるリセット画像のうち、当該リセット画像の明度が予め定めた明度より低いリセット画像を表示している期間は、前記表示媒体に照射される光の照度が前記予め定めた照度未満になるように、前記光源から前記表示媒体に照射される光の照度を制御する。
【００１３】
請求項４記載の発明は、前記表示部は複数の前記表示媒体を含み、前記表示媒体の各々に対応して設けられた前記光源により光が照射される前記表示媒体の各々を、予め定めた順序に従って順次初期化する初期化手段を更に備える。
【００１４】
請求項５記載の発明は、前記初期化手段は、前記画像のうち初期化が必要な部分に対応した前記表示媒体を前記予め定めた順序に従って順次初期化する。
【００１５】
請求項６記載の発明は、前記初期化手段は、前記表示部に含まれる複数の前記表示媒体の各々を、前記予め定めた順序に従って順次初期化する。
【００１６】
請求項７記載の発明は、前記初期化手段は、前記表示部に含まれる複数の前記表示媒体のうち、少なくとも２つ以上の前記表示媒体を含む表示媒体群毎に、前記予め定めた順序に従って順次初期化する。
【００１７】
請求項８記載の発明は、前記初期化手段は、前記表示媒体に表示する前記画像毎に設定された前記予め定めた順序に従って順次初期化する。
【００１８】
請求項９記載の発明は、前記初期化手段は、前記表示媒体の初期化が終了する前までに、他の前記表示媒体の初期化を開始する。
【００１９】
請求項１０記載の発明は、前記表示媒体は、少なくとも一方が透光性を有する一対の基板間と、前記一対の基板間に封入された分散媒に分散され、前記一対の基板間に形成された電界に応じて移動し始める閾値及び色が異なる複数種類の粒子群と、を含む。
【００２０】
請求項１１記載の表示媒体の駆動プログラムの発明は、コンピュータを、請求項１〜請求項１０の何れか１項に記載の駆動装置を構成する制御手段及び初期化手段として機能させる。
【００２１】
請求項１２記載の表示装置の発明は、反射型の表示媒体を含む表示部と、請求項１〜請求項１０の何れか１項に記載の表示媒体の駆動装置と、を備える。
【００２２】
請求項１３記載の発明は、前記表示部を照射する光源を更に備える。
【００２３】
請求項１４記載の表示システムの発明は、反射型の表示媒体を含む表示部と、前記表示部を照射する光源とを有する複数の表示ユニットと、前記複数の表示ユニットを駆動する請求項１〜請求項１０の何れか１項に記載の表示媒体の駆動装置と、を備える。
【発明の効果】
【００２４】
請求項１、１１、１２、１３、１４の発明によれば、画像の初期化中にリセット画像を表示する場合と比較して、広告効果の低減を抑制することができる、という効果を有する。
【００２７】
請求項２の発明によれば、光の照度を急激に減少させる場合と比較して、照度の急激な変化に伴い、画像の閲覧者に与える違和感を低減させることができる、という効果を有する。
【００２８】
請求項３の発明によれば、初期化期間全体に亘って光源からの光の照度を画像が認識される照度未満にした場合と比較して、光の照度が、画像が認識される照度未満となる時間を短縮することができる、という効果を有する。
【００２９】
請求項４の発明によれば、複数の反射型表示媒体を一斉に初期化する場合と比較して、画像の初期化に伴う広告効果の低減を抑制することができる、という効果を有する。
【００３０】
請求項５の発明によれば、表示媒体の各々を順次初期化する場合と比較して、初期化する表示媒体の数を減少することができる、という効果を有する。
【００３１】
請求項６の発明によれば、表示媒体を複数枚ずつ初期化する場合と比較して、より多くの表示媒体に画像を維持したまま初期化することができる、という効果を有する。
【００３２】
請求項７の発明によれば、表示媒体を１枚ずつ初期化する場合と比較して、短時間で表示部を初期化することができる、という効果を有する。
【００３３】
請求項８の発明によれば、表示媒体の初期化順序を画像の表示内容と関係なく固定した場合と比較して、広告効果の低減をより抑制することができる、という効果を有する。
【００３４】
請求項９の発明によれば、表示媒体の初期化が終了するのを待ってから次の表示媒体の初期化を開始する場合と比較して、短時間で表示部を初期化することができる、という効果を有する。
【００３５】
請求項１０の発明によれば、表示媒体に電気泳動型の表示媒体を適用しない場合と比較して、消費電力を低減することができる、という効果を有する。
【図面の簡単な説明】
【００３６】
【図１】第１実施形態に係る表示システムを示す概略図である。
【図２】表示システムの要部構成を示す模式図である。
【図３】駆動装置の電気系の要部構成を示すブロック図である。
【図４】粒子の閾値特性を示す図である。
【図５】印加電圧に応じて表示される表示色を示す説明図である。
【図６】初期化処理を伴った画像の書き換え手順を示す説明図である。
【図７】第１実施形態に係る初期化処理のフローチャートである。
【図８】初期化処理に伴う表示媒体の表示状態を示す説明図である。
【図９】光源への供給電圧波形の説明に係る説明図である。
【図１０】光源への供給電圧波形の説明に係る説明図である。
【図１１】第２実施形態に係る表示システムを示す概略図である。
【図１２】表示部を一斉に初期化した際の表示媒体の表示状態を示す説明図である。
【図１３】第２実施形態に係る初期化処理のフローチャートである。
【図１４】初期化処理に伴う表示媒体の表示状態を示す説明図である。
【図１５】初期化処理に伴う表示媒体の表示状態を示す説明図である。
【図１６】画像毎に初期化処理を実施する際に参照するテーブル構成図である。
【図１７】初期化処理を開始するタイミングに関する説明図である。
【図１８】通信回線を介した表示システムを示す概略図である。
【図１９】通信回線を介した表示システムに係る駆動装置の電気系の要部構成を示すブロック図である。
【発明を実施するための形態】
【００３７】
以下、図面を参照して、本発明を実施するための形態を詳細に説明する。作用、機能が同じ働きを担う部材には、全図面を通して同じ符号を付与し、重複する説明を省略する場合がある、なお、本実施形態に係る表示媒体は複数の画素を含んで構成されるが、説明を簡易化するために、１つの画素に注目した図を用いて本実施形態を説明する。
【００３８】
また、粒子を色毎に区別して説明する必要がある場合には、シアン色の粒子をシアン色粒子Ｃ、赤色の粒子を赤色粒子Ｒ、白色の粒子を白色粒子Ｗと記し、各粒子とその粒子群を同じ符号によって示す。
【００３９】
＜第１実施形態＞
【００４０】
図１は、反射型表示媒体を用いた表示システム１００を概略的に示した図である。表示システム１００は屋内外を問わず設置され、表示システム１００の設置場所周辺を通りがかった通行人に向けて画像を表示することで宣伝及び広告を実施する所謂デジタルサイネージ等に活用される。
【００４１】
そして、表示システム１００は、例えば反射型の表示媒体１０、表示媒体１０を駆動して表示媒体１０に画像を表示させる駆動装置２０、及び表示媒体１０の画像表示面に光を照射する光源３０を含んで構成されると共に、駆動装置２０は表示媒体１０及び光源３０と各々接続されている。
【００４２】
ここで、反射型の表示媒体１０とは、太陽や蛍光灯等の照明器具から発せられる光を反射することで画像を表示する方式の表示媒体を指し、例えば、画像の表示部に電気泳動方式を用いた表示媒体や、コレステリック液晶を用いた表示媒体が知られている。本実施形態では反射型の表示媒体１０の一例として、電気泳動方式を用いた表示媒体を用いて説明するが、反射型の性質を有する表示媒体であれば何れの表示媒体を用いてもよい。
【００４３】
表示媒体１０は、画像の書き換えの際に電力を必要とするが、画像表示中は電力を消費しないため、例えば透過型表示媒体である液晶ディスプレイや有機エレクトロルミネッセンス（有機ＥＬ）等と比較して消費する電力量が少ないという利点を有する一方、画像を表示するためには表示媒体１０の画像表示面に光が照射されることが必要であるため、夜間や周囲に照明がない状況の下では、表示媒体１０に画像が表示されている場合であっても、通行人が画像を認識することが困難な場合が考えられる。
【００４４】
そこで、光源３０から表示媒体１０の画像表示面に光を照射することで、夜間等であっても表示媒体１０に表示される画像が通行人等に認識されるようにしている。
【００４５】
駆動装置２０は、例えば駆動装置２０内部に予め記憶している画像の画像情報に基づいて表示媒体１０を駆動することで、表示媒体１０に所望の画像を表示すると共に、光源３０を制御して表示媒体１０の画像表示面に照射される光の照度を調整する。
【００４６】
なお、画像情報とは、表示媒体１０に表示する画像の画素毎の色情報を含んだ情報のことである。
【００４７】
以下に、駆動装置２０によって表示媒体１０に画像を表示する流れについて説明する。
【００４８】
図２は、表示システム１００の要部構成を示したものである。
【００４９】
駆動装置２０は、表示媒体１０の表示側電極３、背面側電極４間に電圧を印加する電圧印加部６０と、光源３０に供給する電圧を調整して、光源３０から表示媒体１０の表示基板１に照射される光の照度を調整する照度調整部５０と、表示媒体１０に表示させる画像の画像情報に応じて電圧印加部６０を制御すると共に、画像の書き換えに応じて照度調整部５０を制御する制御部４０と、を含んで構成される。
【００５０】
表示媒体１０の画像表示面とされる透光性を有する表示基板１と、非表示面とされる背面基板２と、は間隙を持って対向して配置されている。
【００５１】
そして、これらの基板１、２間を定められた間隔に保持すると共に、基板１、２間を複数のセルに区画する間隙部材５が設けられている。
【００５２】
上記セルとは、背面側電極４が設けられた背面基板２と、表示側電極３が設けられた表示基板１と、間隙部材５と、によって囲まれた領域を示しており、表示媒体１０に画像を表示する際の単位である画素を構成する。画素中には、例えば絶縁性液体で構成された透明の分散媒６と、分散媒６中に分散されたシアン色粒子群１１Ｃ、赤色粒子群１１Ｒ及び白色粒子群１２Ｗが封入されている。
【００５３】
本実施形態では説明を簡略化するために１つの画素に着目して表示媒体１０での画像の表示について説明するが、実際には、表示媒体１０は複数の画素を含んで構成されている。
【００５４】
また、本実施形態では１つのセルを画素に対応付けて説明するが、例えば、横方向に２個、縦方向に２個の隣接するセルを１つの連結されたセルとみなして、この連結されたセルを１つの画素として扱うようにしてもよい。
【００５５】
粒子群１１Ｃ及び粒子群１１Ｒは、例えば共に同極に帯電し、一対の電極３、４間に予め定めた閾値を越える電圧が印加されることにより、粒子群１１が一対の電極３、４間を泳動する特性を有している。なお、本実施形態に係る粒子群１１Ｃ及び粒子群１１Ｒは共に正極に帯電しているものとして説明するが、共に負極に帯電していてもよく、又は互いに異極に帯電していてもよい。
【００５６】
また、本実施形態に係る粒子１１Ｃの粒径は粒子１１Ｒの粒径よりも小さく、一対の電極３、４間に予め定めた閾値を越える電圧を印加して粒子１１Ｒが何れかの基板に付着し凝集した状態であっても、凝集した粒子１１Ｒの間隙をすり抜けられる程度の粒径とされる。なお、その他に本実施形態に係る粒子１１Ｃ及び粒子１１Ｒの粒径に関する制限はなく、粒子１１の帯電極性、応答性、電極間の距離等に応じて適宜設定すればよい。
【００５７】
更に、本実施形態に係る粒子１１Ｃは透光性を有しているものとするが、これに限定されることなく、各粒子の透光性は適宜設定すればよく、粒子１１の色もシアン色及び赤色に限定されない。
【００５８】
一方、粒子群１２Ｗは、粒子群１１Ｃ及び粒子群１１Ｒに比べて帯電量が少ない粒子群である。そのため、粒子群１１が一対の基板１、２のうち何れか一方の基板まで泳動する電圧が一対の電極３、４間に印加されても、粒子群１１の泳動速度に比べて粒子群１２Ｗの泳動速度は遅く、粒子群１２Ｗは何れの基板１、２にも付着することなく分散媒６中を浮遊する。
【００５９】
なお、本実施形態の画素には、シアン色粒子群１１Ｃ、赤色粒子群１１Ｒ及び白色粒子群１２Ｗの３粒子群が封入されるものとしたが、画素に封入される粒子群数がこれに限定されないことは言うまでもない。
【００６０】
駆動装置２０は、表示媒体１０の表示側電極３、背面側電極４間に表示させる画像の画像情報に応じた電圧を印加することにより、分散媒６中の粒子１１を泳動させ、帯電極性に応じて一対の基板１、２のうち何れか一方の基板に粒子１１を引き付けることで、画像情報に応じた濃度の画像を表示させる。
【００６１】
電圧印加部６０は、表示側電極３及び背面側電極４に電圧を印加するための電圧印加装置であり、表示側電極３及び背面側電極４にそれぞれ電気的に接続されると共に、制御部４０と相互に信号授受されるように接続され、制御部４０の制御に応じた電圧を表示側電極３及び背面側電極４に印加する。
【００６２】
また、照度調整部５０は、光源３０に供給する電圧を調整して、表示媒体１０の表示基板１に照射される光の照度を調整するための照度調整装置であり、光源３０に電気的に接続されると共に、制御部４０と相互に信号授受されるように接続され、制御部４０の制御に応じた電圧を光源３０に供給する。
【００６３】
制御部４０は、図３に示すように、例えばコンピュータ４０として構成される。コンピュータ４０は、ＣＰＵ（Central Processing Unit）４０Ａ、ＲＯＭ（Read Only Memory）４０Ｂ、ＲＡＭ（Random Access Memory）４０Ｃ、不揮発性メモリ４０Ｄ、及び入出力インターフェース（Ｉ／Ｏ）４０Ｅがバス４０Ｆを介して各々接続された構成であり、Ｉ／Ｏ４０Ｅには照度調整部５０、電圧印加部６０、及び通信回線Ｉ／Ｆ（Interface）７０が接続されている。
【００６４】
通信回線Ｉ／Ｆ７０は、図示しない通信回線に接続され、当該通信回線に接続された図示しないパーソナルコンピュータ等の端末装置と相互にデータを通信する。この図示しない通信回線は有線回線及び無線回線の何れであってもよく、例えば、図示しないパーソナルコンピュータから表示媒体１０に表示させる画像の画像情報を取得するようにしてもよい。
【００６５】
図４は、表示媒体１０に含まれる粒子１１Ｃ及び粒子１１Ｒを表示基板１側、背面基板２側に移動させるために必要な印加電圧の特性（閾値特性）を示したものである。なお、図４では、粒子１１Ｃの閾値特性を特性５０Ｃで表し、粒子１１Ｒの閾値特性を特性５０Ｒで表している。同図の横軸は表示側電極３を接地レベル（０Ｖ）とした場合に背面側電極４に印加される電圧を、縦軸は表示基板１側から観測される粒子１１の表示濃度を表している。
【００６６】
粒子１１Ｃは閾値ＴＨ３を超える電圧が背面側電極４に印加されると、背面基板２に付着していた粒子１１Ｃが背面基板２から剥離して、基板１、２間に形成された電界に応じて表示基板１側へ移動する。また、粒子１１Ｃは閾値−ＴＨ３を超える電圧が背面側電極４に印加されると、表示基板１に付着していた粒子１１Ｃが表示基板１から剥離して、基板１、２間に形成された電界に応じて背面基板２側へ移動する。
【００６７】
一方、粒子１１Ｒは閾値ＴＨ１を超える電圧が背面側電極４に印加されると、背面基板２に付着していた粒子１１Ｒが背面基板２から剥離して、基板１、２間に形成された電界に応じて表示基板１側へ移動する。また、粒子１１Ｒは閾値−ＴＨ１を超える電圧が背面側電極４に印加されると、表示基板１に付着していた粒子１１Ｒが表示基板１から剥離して、基板１、２間に形成された電界に応じて背面基板２側へ移動する。
【００６８】
なお、粒子１１Ｃ及び粒子１１Ｒの閾値の大きさに関して、｜ＴＨ１｜＜｜ＴＨ２｜＜｜ＴＨ３｜＜｜ＴＨ４｜であるものとする。
【００６９】
次に、図４に示した閾値特性を有する粒子１１Ｃ及び粒子１１Ｒを駆動装置２０によって駆動した場合に、表示媒体１０に表示される画像の色について説明する。
【００７０】
図５は、本実施形態に係る表示媒体１０における、駆動装置２０によって印加される印加電圧に応じた粒子群１１の挙動の一例を概略的に示している。なお、図５では、分散媒６、間隙部材５は省略されており、表示側電極３の電位は接地レベル（０Ｖ）に設定されている。
【００７１】
図５（Ａ）に示すように、表示基板１側の粒子１１Ｃ及び粒子１１Ｒを剥離して背面基板２側に付着させるのに必要な閾値−ＴＨ４を超える負極電圧を背面側電極４に印加すると、粒子１１Ｃ及び粒子１１Ｒは背面基板２側に泳動して背面基板２側の全面に付着した状態となる。一方、粒子１２Ｗは、閾値−ＴＨ４を超える負極電圧が背面側電極４に印加されても、何れの基板１、２にも付着することなく分散媒６中を浮遊する。これにより表示基板１側からは粒子１２Ｗが目視されるため白色が表示される。
【００７２】
図５（Ａ）の状態から、背面側電極４に閾値ＴＨ１を超え、閾値ＴＨ３以下の正極電圧を印加すると、図５（Ｂ）に示すように、粒子１１Ｒは背面基板２側から表示基板１側に泳動して表示基板１側の全面に付着した状態となる。これにより表示基板１側からは粒子１１Ｒが目視されるため赤色が表示される。
【００７３】
図５（Ｂ）の状態から、背面側電極４に閾値ＴＨ４を超える正極電圧を印加すると、図５（Ｃ）に示すように、粒子１１Ｃは背面基板２側から表示基板１側に泳動して、既に表示基板１側に付着している粒子１１Ｒの間隙を通り、表示基板１側の全面に付着した状態となる。これにより表示基板１側からは透光性を有する粒子１１Ｃを通してシアン色と粒子１１Ｒの赤色の混色である黒色が表示される。
【００７４】
図５（Ｃ）の状態から、背面側電極４に閾値−ＴＨ２を超え、閾値−ＴＨ３以下の負極電圧を印加すると、図５（Ｄ）に示すように、粒子１１Ｒは表示基板１側から背面基板２側に泳動して背面基板２側の全面に付着した状態となるが、粒子１１Ｃは表示基板１側の全面に付着したままの状態となる。これにより表示基板１側からは粒子１１Ｃが目視されるのでシアン色が表示される。
【００７５】
なお、同図では、全ての粒子１１Ｃ及び粒子１１Ｒを表示基板１側に付着させて１００％の濃度で各色を表示する場合について説明したが、表示媒体１０に表示する画像の画像情報に基づいて中間色を表示する場合には、粒子群１１Ｃ及び粒子群１１Ｒ毎に、画像の画像情報に含まれる粒子色毎の濃度割合（階調）に応じた粒子量の粒子１１を表示基板１側に付着させるように、背面側電極４に印加する電圧の電圧値及び印加時間の少なくとも一方を制御すればよい。
【００７６】
以上説明したように、表示媒体１０に表示される画像を書き換える際、次に表示する画像の画像情報に基づいて粒子群１１を移動させる電界を発生させ、所望の表示色を表示させるための電圧（画像表示電圧）を背面側電極４に印加したが、実際には背面側電極４に画像表示電圧を印加して表示媒体１０に画像を表示する表示駆動処理と次の表示駆動処理との間で初期化処理が行われる。
【００７７】
表示駆動処理では、背面側電極４に印加される画像表示電圧により基板１、２から剥離される粒子１１や、画像表示電圧の印加によって基板１、２から剥離する方向の力を加えられても、基板１、２から剥離されずに基板１、２の少なくとも一方の基板に付着したままの状態の粒子１１が存在する。また、基板に付着している粒子１１であって、画像表示電圧の印加により更に基板に付着する方向の力を加えられる粒子１１等も存在する。そのため、表示駆動処理毎に各粒子１１の閾値特性にばらつきが生じる。
【００７８】
すなわち、前回の表示駆動処理で基板１、２に付着した粒子１１の付着状態が、次の表示駆動処理で表示媒体１０に表示する画像の表示色の濃度に影響を与えることになる。
【００７９】
初期化処理とは、次の画像の表示駆動処理の前に、現在の画像表示に伴う各粒子群１１の基板１、２への付着状態を初期化して、各粒子群１１の各粒子１１の閾値特性のばらつきが少なくなるようにする処理であり、具体的には、画像を書き換える際に、基板１、２に付着した各粒子群１１を基板１、２から剥離させて、粒子群１１の閾値特性のばらつき状態を初期化する。こうした初期化処理を実施することにより、初期化処理を実施しない場合と比較して画像の表示品質の向上が図られる。
【００８０】
図６は、表示媒体１０における初期化処理を伴った画像の書き換えの様子を示した図である。
【００８１】
例えば、図６（Ａ）に示すようなシアン色で表示された画像が表示されている状態から、図６（Ｄ）に示すような赤色の画像に書き換える場合、まず、背面側電極４に閾値ＴＨ１を超える正極電圧を、粒子群１１Ｒが表示基板１側に付着するのに要する時間印加して、粒子群１１Ｒを背面基板２側から剥離する。図６（Ｂ）はこの様子を示した図であり、表示基板１側から見た場合、透光性を有する粒子１１Ｃを通してシアン色と粒子１１Ｒの赤色の混色である黒色が表示される。
【００８２】
次に、背面側電極４に閾値−ＴＨ３を超える負極電圧を、粒子群１１Ｃ及び粒子群１１Ｒが背面基板２側に付着するのに要する時間印加して、粒子群１１Ｃ及び粒子群１１Ｒを表示基板１側から剥離する。図６（Ｃ）はこの様子を示した図であり、表示基板１側から見た場合、粒子１２Ｗが目視されるため白色が表示される。
【００８３】
そして、例えば、背面側電極４に閾値ＴＨ２の正極電圧を、画像の画像情報に従った粒子量の粒子群１１Ｒが表示基板１側に付着するのに要する時間印加して、図６（Ｄ）に示すような、画像の画像情報に対応した濃度の画像を表示する。なお、図６（Ｄ）は、例として１００％濃度の赤色画像を表示した際の様子を表している。
【００８４】
以上説明したように、表示媒体１０を画像の表示媒体として用いた場合、表示している画像を次の画像に書き換えるまでの初期化期間で初期化処理が実施されるため、初期化期間中は、例えば、画像書き換え前の画像（以下、更新前画像という）、黒色画像、白色画像、画像書き換え後の画像（以下、更新後画像という）の順に表示媒体１０に表示される。
【００８５】
すなわち、更新前画像と更新後画像との間に、黒色画像、白色画像等の初期化処理によって表示されるリセット画像が表示されることで、通行人等に画像の書き換えがスムーズに行われていない旨の印象を与えてしまい、広告効果の低減につながる場合が考えられる。
【００８６】
そこで、以下では、本実施形態に係る駆動装置２０のＣＰＵ４０Ａが、画像の書き換えの際に光源３０に供給される電圧を制御するプログラムを実行することにより、リセット画像の表示を抑制して、よりスムーズな画像の書き換えを行う場合について説明する。
【００８７】
まず、図７を参照して、本実施形態に係る初期化処理を実行する際の駆動装置２０の作用について説明する。
【００８８】
図７は、この際に表示システム１００の制御部４０のＣＰＵ４０Ａにより実行される表示媒体１０の駆動プログラムの流れを示すフローチャートであり、当該プログラムは例えばＲＯＭ４０Ｂの予め定められた領域に予め記憶されており、画像の書き換えが実行される毎にＣＰＵ４０Ａにより実行される。
【００８９】
なお、駆動プログラムは、ＲＯＭ４０Ｂに予めインストールされて提供される形態に限られず、ＣＤ−ＲＯＭやメモリカード等のコンピュータ読み取り可能な記録媒体に格納された状態で提供される形態、通信回線Ｉ／Ｆ７０を介して有線又は無線により配信される形態等であってもよい。
【００９０】
また、当該駆動プログラムを実行する際、表示媒体１０には予め画像が表示されており、光源３０からの光の照射によって、表示媒体１０の画像表示面の照度は、表示媒体１０に表示される画像を認識するのに必要な照度以上になっているものとする。
【００９１】
画像の書き換えが指示された場合、まず、ステップＳ１０では、光源３０に供給する電圧を停止させる電圧供給停止指示を照度調整部５０へ通知する。照度調整部５０は、電圧供給停止指示を受け付けると光源３０への電圧供給を停止して光源３０を消灯し、表示媒体１０の画像表示面の照度を、表示媒体１０に表示される画像を認識するのに必要な照度未満とする。すなわち、これ以降、表示媒体１０の画像表示面に画像が表示されたとしても、通行人等からは画像が認識されにくい状態となる。
【００９２】
ステップＳ１５では、電圧印加部６０に対して、画素毎に図６で説明した初期化処理を実施するよう初期化開始指示を通知する。電圧印加部６０は初期化開始指示を受け付けると、背面側電極４に、粒子群１１を表示基板１側に付着させる正極電圧を粒子群１１が表示基板１側に付着するのに要する時間印加して、表示媒体１０に黒色画像を表示した後、背面側電極４に、粒子群１１を背面基板２側に付着させる負極電圧を粒子群１１が背面基板２側に付着するのに要する時間印加して、表示媒体１０に白色画像を表示することで初期化処理を実施する。
【００９３】
この場合、ステップＳ１０において光源３０が消灯されているため、初期化期間中に表示媒体１０に表示されるリセット画像は通行人等からは認識されにくい状態となっている。
【００９４】
ステップＳ２０では、光源３０への電圧の供給を開始させる電圧供給開始指示を照度調整部５０へ通知する。照度調整部５０は、電圧供給開始指示を受け付けると光源３０への電圧供給を再開するため光源３０が点灯し、表示媒体１０の画像表示面の照度を、表示媒体１０に表示される画像を認識するのに必要な照度以上とする。すなわち、これ以降、表示媒体１０の画像表示面に表示された画像は通行人等から認識される状態となる。
【００９５】
ステップＳ２５では、更新後画像を表示する。この場合、例えば、不揮発性メモリ４０Ｄの予め定めた領域に予め記憶されている更新後画像の画像情報を読み出し、各画素の粒子群１１Ｃ及び粒子群１１Ｒの表示濃度が当該画像情報に記載されている画素毎の粒子群１１Ｃ及び粒子群１１Ｒの各々の表示濃度となるように、濃度テーブルを参照して各画素の背面側電極４に電圧を印加する。
【００９６】
ここで濃度テーブルとは、粒子群１１の表示濃度と、背面側電極４に印加する電圧の電圧値及び電圧印加時間との関係を記載したテーブルであり、例えば不揮発性メモリ４０Ｄの予め定めた領域に予め記憶されている。
【００９７】
なお、更新後画像に対応した画像情報は、例えば更新後画像の表示前に、通信回線Ｉ／Ｆ７０を介して図示しないネットワークに接続されている図示しないパーソナルコンピュータから受け付けるようにしてもよい。
【００９８】
図８は、図７で説明した駆動プログラムを実行した場合の表示媒体１０の表示状態、通行人等から見た表示媒体１０の画像認識状態、及び光源３０の供給電圧波形９８の各々を時間軸に沿って示した図である。
【００９９】
更新前画像９０が表示されている画像表示期間中は、光源３０に例えば光源３０の定格電圧である電圧ＶＯＮが供給されているため、通行人等からは更新前画像９０が認識される。しかし、初期化期間中に表示される黒色画像９２及び白色画像９４のリセット画像は、ステップＳ１０の処理によって、初期化期間が開始される前の時間Ｔ１のタイミングで光源３０への電圧供給が停止されるため、通行人等からはリセット画像が認識されにくい状態となる。なお、表示媒体１０の画像認識状態において、通行人等からリセット画像が認識されにくい状態となる期間には格子模様を付してある。
【０１００】
そして、更新後画像９６が表示されている画像表示期間中は、ステップＳ２０の処理によって、当該画像表示期間が開始される前の時間Ｔ２のタイミングで光源３０へ電圧ＶＯＮの供給が再開されるため、通行人等からは更新後画像９６が認識される。
【０１０１】
すなわち、通行人等からは更新前画像９０と更新後画像９６との間に表示されるリセット画像が認識されにくい状態となり、更新前画像９０から更新後画像９６への画像の切り替えがよりスムーズに行われている印象を通行人等に与え、広告効果の低減が抑制される。
【０１０２】
このように、本実施形態に係る初期化処理では、画像の初期化に合わせて光源３０に供給する電圧を制御することで、初期化期間中に表示媒体１０の画像表示面に照射される光の照度を、画像表示期間中に表示媒体１０の画像表示面に照射される光の照度より減少させて、通行人等からリセット画像が認識されにくいようにした。また、表示媒体１０に表示させる画像を認識するのに必要な照度未満から画像を認識するのに必要な照度以上へと照度を変化させることで、表示媒体１０に表示される画像に通行人等の注意を引き付けさせる効果が期待される。
【０１０３】
なお、本実施形態では光源３０に供給する電圧を停止して、光源３０から表示媒体１０の画像表示面に照射される光の照度を減少するようにしたが、これに限らず、光源３０から表示媒体１０の画像表示面に照射される光の照度が、表示媒体１０に表示された画像を認識するために必要とされる光の照度として予め定めた光の照度（認識境界照度）未満となるような電圧、すなわち認識境界電圧ＶＴＨ未満の電圧を光源３０へ供給するようにしてもよい。
【０１０４】
この認識境界照度に対応した認識境界電圧ＶＴＨの大きさは、例えば、表示媒体１０の実機による実験等により予め定められ、例えば不揮発性メモリ４０Ｄの予め定めた領域に予め記憶しておけばよい。
【０１０５】
更に、図９に示すように、光源３０に供給する電圧が時間Ｔ１で認識境界電圧ＶＴＨとなるように、画像表示期間中から徐々に光源３０に供給する電圧を減少するよう照度調整部５０を制御して、表示媒体１０の画像表示面に照射される光の照度を徐々に減少させるようにしてもよい。
【０１０６】
また、本実施形態では黒色画像及び白色画像をリセット画像の例として説明したが、リセット画像は黒色画像及び白色画像に限定されるものではない。例えば、粒子群１１がシアン色粒子群及びマゼンタ色粒子群で構成される場合、リセット画像としてシアン色とマゼンタ色の混色である青色画像及び白色画像が表示されることになるが、この場合であっても本実施形態に係る初期化処理が適用されることは言うまでもない。
【０１０７】
また、本実施形態における初期化期間では、黒色画像、白色画像の順にリセット画像が表示されているが、白色画像、黒色画像の順にリセット画像が表示されるように、ステップＳ１５において、背面側電極４への電圧の印加順序を変更するようにしてもよい。更に言えば、初期化期間中のリセット画像の表示回数に限定はなく、例えば、黒色画像、白色画像、黒色画像、白色画像と繰り返しリセット画像を表示する形態や、黒色画像又は白色画像の何れか一方のリセット画像を１回だけ表示する形態であってもよい。
【０１０８】
また、本実施形態では、リセット画像が通行人等から認識されにくくなるように、初期化期間全体に亘って表示媒体１０の画像表示面に照射される光の照度を認識境界照度未満となるようにした。しかし、実際にはリセット画像のうち、これ以上画像の明度が低くなると画像が強調して表示されるものとして予め定めた明度（境界明度）未満の画像が表示された場合に、更新前画像又は更新後画像とのコントラスト差からリセット画像が強調され、画像の書き換えがスムーズに行われていない旨の印象を通行人等に与えるものと考えられる。
【０１０９】
従って、図１０に示すように、初期化期間のうち、例えば境界明度未満の明度である黒色画像９２の表示期間（Ｔ１〜Ｔ３の期間）だけ、光源３０に供給する電圧を認識境界電圧ＶＴＨ未満に減少し、境界明度以上の明度である白色画像９４の表示期間は光源３０に供給する電圧を電圧ＶＯＮにするようにしてもよい。
【０１１０】
＜第２実施形態＞
【０１１１】
第１実施形態では、駆動装置２０がそれぞれ１つずつの表示媒体１０及び光源３０を駆動することで画像を表示する形態について説明したが、本実施形態では駆動装置２０で複数の表示媒体１０及び複数の光源３０を駆動して画像を表示する際の表示システム１１０の作用について説明する。
【０１１２】
また、本実施形態では複数の表示媒体１０を区別して説明する必要がある場合には、表示媒体１０Ａ、１０Ｂ、１０Ｃ、１０Ｄとして表し、複数の光源３０を区別して説明する必要がある場合には、光源３０Ａ、３０Ｂ、３０Ｃ、３０Ｄとして表す。
【０１１３】
図１１は、本実施形態における表示システム１１０を概略的に示した図である。表示システム１１０が第１実施形態における表示システム１００と異なる点は、駆動装置２０に複数の表示媒体１０Ａ〜１０Ｄ及び複数の光源３０Ａ〜３０Ｄがそれぞれ接続されている点である。
【０１１４】
表示媒体１０Ａ〜１０Ｄは他の表示媒体と隣接して配置され、表示媒体１０Ａ〜１０Ｄを組み合わせることで、全体として１つの表示部１５を構成している。また、光源３０Ａは表示媒体１０Ａの画像表示面に光を照射し、光源３０Ｂは表示媒体１０Ｂの画像表示面に光を照射し、光源３０Ｃは表示媒体１０Ｃの画像表示面に光を照射し、光源３０Ｄは表示媒体１０Ｄの画像表示面に光を照射する光源である。
【０１１５】
なお、駆動装置２０は、例えば、表示媒体１０Ａ〜１０Ｄの各々に、１つの画像を４分割した画像を表示することで、表示部１５に元の全体画像を表示したり、表示媒体１０Ａ〜１０Ｄの各々に、他の表示媒体１０に表示される画像とは関連性のない個別の画像を表示したりする場合がある。
【０１１６】
また、本実施形態の表示部１５は４枚の表示媒体１０を含んで構成されているが、これに限定されず、表示部１５は２枚以上の表示媒体１０を含んで構成されていればよい。
【０１１７】
図１２は、表示部１５に表示された更新前画像９０を更新後画像９６に書き換える際の各表示媒体１０の表示状態の一例を示した図である。
【０１１８】
同図に示すように、表示部１５は４枚の表示媒体１０を含んで構成されることから、全ての表示媒体１０で一斉に画像を書き換えた場合、表示媒体１０の各々で一斉に初期化処理が実施され、初期化期間中は広告等の画像が表示されない期間となるため、広告効果が低下する場合が考えられる。
【０１１９】
そこで、以下では、表示部１５に表示されている更新前画像９０を更新後画像９６に書き換える際、各表示媒体１０が一斉に初期化処理を開始しないように各表示媒体１０の初期化処理を実施する駆動装置２０の作用について説明する。
【０１２０】
図１３は、初期化処理の際に駆動装置２０の制御部４０に含まれるＣＰＵ４０Ａによって実行される表示媒体１０の駆動プログラムの流れを示すフローチャートであり、当該プログラムは例えばＲＯＭ４０Ｂの予め定められた領域に予め記憶されており、画像の書き換えが実行される毎にＣＰＵ４０Ａにより実行される。
【０１２１】
なお、駆動プログラムは、ＲＯＭ４０Ｂに予めインストールされて提供される形態に限られず、ＣＤ−ＲＯＭやメモリカード等のコンピュータ読み取り可能な記録媒体に格納された状態で提供される形態、通信回線Ｉ／Ｆ７０を介して有線又は無線により配信される形態等を適用してもよい。
【０１２２】
また、当該駆動プログラムを実行する際、表示部１５には予め画像が表示されており、光源３０からの光の照射によって、各表示媒体１０の画像表示面の照度は、表示部１５に表示される画像を認識するのに必要な照度以上になっているものとする。
【０１２３】
まず、ステップＳ５では、表示媒体１０のうち、画像書き換え対象となっている表示媒体１０を設定する。どの表示媒体１０が画像書き換え対象となっているかは、例えば不揮発性メモリ４０Ｄの予め定めた領域に予め記憶されている初期化パターンテーブルを参照して判断する。初期化パターンテーブルは、画像の書き換えの際、初期化が必要となる表示媒体１０を初期化する順序に並べて記載したテーブルであり、例えば初期化パターンテーブルに「表示媒体１０Ａ：表示媒体１０Ｂ：表示媒体１０Ｃ：表示媒体１０Ｄ」と記載されている場合、表示媒体１０Ａ〜１０Ｄが画像書き換え対象であり、表示媒体１０Ａ、表示媒体１０Ｂ、表示媒体１０Ｃ、表示媒体１０Ｄの順に初期化処理を実施する。
【０１２４】
上記初期化パターンテーブルは、記載順にコロン記号で区切られた表示媒体１０単位で表示媒体１０の初期化を実施することを意味しているが、初期化パターンテーブルの書式については上記のものに限定されず、画像書き換え対象となる表示媒体１０と画像書き換えの順序が、ＣＰＵ４０Ａによって認識される書式であればよいことは言うまでもない。
【０１２５】
ここでは、まず表示媒体１０Ａが画像書き換え対象表示媒体として設定される。
【０１２６】
ステップＳ１０では、画像書き換え対象表示媒体である表示媒体１０Ａの画像表示面に光を照射する光源３０Ａに供給する電圧を停止させる電圧供給停止指示を照度調整部５０へ通知する。
【０１２７】
ステップＳ１５では、画像書き換え対象表示媒体である表示媒体１０Ａの画素毎に初期化処理を実施するよう、電圧印加部６０に初期化開始指示を通知する。
【０１２８】
ステップＳ２０では、光源３０Ａへの電圧の供給を開始させる電圧供給開始指示を照度調整部５０へ通知する。
【０１２９】
ステップＳ２５では、更新後画像９６のうち、表示媒体１０Ａに割り当てられた画像を表示媒体１０Ａに表示する。なお、更新後画像９６の画像情報は、初期化パターンテーブルに記載されている表示媒体毎に分割されており、例えば、不揮発性メモリ４０Ｄの予め定めた領域に予め記憶しておいてもよく、また、通信回線Ｉ／Ｆ７０を介して図示しないネットワークに接続されている図示しないパーソナルコンピュータから受け付けるようにしてもよい。
【０１３０】
以上のステップＳ１０〜Ｓ２５の処理により、ステップＳ５で設定した画像書き換え対象表示媒体である表示媒体１０Ａの画像の書き換えが終了する。
【０１３１】
ステップＳ３０では、初期化パターンテーブルを参照して、次の画像書き換え対象表示媒体が存在するか否かを判定する。初期化パターンテーブル内にまだ画像の書き換えを実施していない表示媒体１０があればステップＳ３５に移行する。一方、初期化パターンテーブルに記載される全ての表示媒体１０の書き換えが終了した場合には、本駆動プログラムを終了する。
【０１３２】
ステップＳ３５では初期化パターンテーブルに従って、まだ画像の書き換えを実施していない次の表示媒体１０を画像書き換え対象表示媒体に設定して、ステップＳ１０〜Ｓ３０の処理を繰り返して実行する。
【０１３３】
図１４及び図１５は、図１３で説明した駆動プログラムを実行した場合の表示媒体１０の表示状態、通行人等から見た表示媒体１０の画像認識状態、及び光源３０の供給電圧波形９８の各々を時間軸に沿って示した図である。なお、図１５は図１４から引き続いた状態を表している。
【０１３４】
図１４、図１５からわかるように、本実施形態の場合、表示媒体１０Ａ〜１０Ｄを一斉に初期化して画像を書き換えるのではなく、初期化パターンテーブルに記載された順序で順次表示媒体を初期化することになる。すなわち、表示媒体１０Ａ初期化期間では表示媒体１０Ａ以外の表示媒体１０では初期化処理は実施されず、更新前画像９０を表示したままとなる。同様に、表示媒体１０Ｂ初期化期間では、表示媒体１０Ｂ以外の表示媒体１０は更新前画像９０又は更新後画像９６の表示を維持し、表示媒体１０Ｃ初期化期間では、表示媒体１０Ｃ以外の表示媒体１０は更新前画像９０又は更新後画像９６の表示を維持し、表示媒体１０Ｄ初期化期間では、表示媒体１０Ｄ以外の表示媒体１０は更新後画像９６画像の表示を維持することになる。
【０１３５】
また、ステップＳ１０において、初期化を実施している表示媒体１０の画像表示面を照射する光源３０への電圧供給が停止されるため、通行人等からは初期化期間中に表示されるリセット画像である黒色画像９２及び白色画像９４が認識されにくくなる。一方、初期化を実施している表示媒体１０以外の表示媒体１０の画像表示面を照射する光源３０へは電圧ＶＯＮが供給されるため、初期化を実施している表示媒体１０以外の表示媒体１０に表示された画像は通行人等から認識される。
【０１３６】
すなわち、通行人等からは、画像の書き換えの際に更新前画像９０と更新後画像９６との間に表示される各表示媒体１０のリセット画像が認識されにくくなる上、更に、各表示媒体１０が一斉に初期化を開始することもないため、表示部１５の少なくとも１枚以上の表示媒体に画像の表示が維持される。
【０１３７】
このように、本実施形態に係る初期化処理では、複数の表示媒体１０を予め定めた順序に従って順次初期化すると共に、初期化に合わせて、初期化が実施される表示媒体１０を照射する光源３０に供給する電圧を制御することで、初期化中の表示媒体１０の画像表示面に照射される光の照度を画像表示中に当該表示媒体１０の画像表示面に照射される光の照度より減少させて、通行人等からリセット画像が認識されにくくなるようにした。
【０１３８】
なお、本実施形態では画像を書き換える際、表示部１５に含まれる全ての表示媒体１０Ａ〜１０Ｄを予め定めた順序に従って順次初期化するようにしたが、画像の書き換えが必要な部分に対応した表示媒体１０のみを初期化するようにしてもよい。この場合、例えば、初期化パターンテーブルに表示媒体１０Ａ〜１０Ｄの中から画像の書き換えが必要となる表示媒体１０を選択して記載しておけばよい。
【０１３９】
また、本実施形態では画像を書き換える際、表示媒体１０単位で予め定めた順序に従って順次初期化するようにしたが、例えば、表示媒体１０Ａ〜１０Ｄを表示媒体１０Ａ及び表示媒体１０Ｂの組と、表示媒体１０Ｃ及び表示媒体１０Ｄの組とに分割し、組単位で予め定めた順序に従って順次初期化するようにしてもよい。
【０１４０】
具体的には、例えば、初期化パターンテーブルに「表示媒体１０Ａ＋１０Ｂ：表示媒体１０Ｃ＋１０Ｄ」と記載されている場合には、まず、表示媒体１０Ａ及び表示媒体１０Ｂを画像書き換え対象表示媒体に設定して、表示媒体１０Ａ及び表示媒体１０Ｂの初期化処理を一斉に実施する。その後、表示媒体１０Ｃ及び表示媒体１０Ｄを画像書き換え対象表示媒体に設定して、表示媒体１０Ｃ及び表示媒体１０Ｄの初期化処理を一斉に実施する。この場合、図１３のステップＳ１０及びステップＳ２０では、供給電圧を停止又は印加する光源３０を、画像書き換え対象表示媒体として設定された表示媒体１０の組の画像表示面を照射する光源３０に選択すればよい。
【０１４１】
また、本実施形態では、初期化パターンテーブルに従って表示媒体１０を初期化するため、画像の書き換えの際、表示部１５に表示される画像の内容に関わらず、毎回同じ順序で表示媒体１０を初期化する例を示したが、画像に応じて異なる順序で表示媒体１０を初期化するようにしてもよい。
【０１４２】
具体的には、例えば、図１６に示した不揮発性メモリ４０Ｄの予め定めた領域に予め記憶されている表示シーケンステーブル８０及び初期化条件テーブル８２を参照して、画像毎に異なる順序で表示媒体１０を初期化する。
【０１４３】
初期化条件テーブル８２には、例えば、初期化パターンテーブルに記載された情報と同様の情報（初期化パターン情報）が指定番号と紐付けられて複数記載され、表示シーケンステーブル８０には、例えば、画像の表示時刻、画像番号、及び指定番号を１組とする情報が複数記載されている。ここで指定番号とは、初期化条件テーブル８２の指定番号を指定する番号であり、画像番号とは、表示時刻になった際、表示媒体１０に表示する画像に対応した画像情報を指定するための番号である。
【０１４４】
そして、現在時刻が表示シーケンステーブル８０に記載されている画像の表示時刻となった場合に図１３の駆動プログラムを起動し、図１３のステップＳ５で、表示シーケンステーブル８０を参照し、現在時刻を示している画像の表示時刻に対応した指定番号に基づいて、初期化条件テーブル８２から初期化パターン情報を取得することで、画像毎に異なる順序で表示媒体１０を初期化すればよい。
【０１４５】
また、本実施形態では、他の表示媒体１０の初期化処理が終了するのを待ってから、次の表示媒体１０の初期化処理を開始するようにしたが、他の表示媒体１０の初期化処理が終了する前までに、次の表示媒体１０の初期化処理を開始するようにしてもよい。
【０１４６】
図１７は、表示媒体１０Ａ、表示媒体１０Ｂの順に画像を書き換える場合を例にして、この様子を示した図である。同図では、表示媒体１０Ａが黒色画像９２を表示した後の時間Ｔ４から、表示媒体１０Ｂの初期化を開始している。この場合、表示媒体１０Ａの初期化処理が終了するのを待ってから、表示媒体１０Ｂの初期化処理を開始する場合と比較して、表示部１５全体から見た画像の書き換え時間が短縮される。
【０１４７】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【０１４８】
また、上記実施の形態では、図７、図１３に係る初期化処理をソフトウエア構成によって実現した場合について説明したが、本発明はこれに限定されるものではなく、例えば当該初期化処理をハードウェア構成により実現する形態としてもよい。
【０１４９】
この場合の形態例としては、例えば、制御部４０と同一の処理を実行する機能デバイスを作成して用いる形態がある。この場合は、上記実施の形態に比較して、処理の高速化が期待される。
【０１５０】
なお、本実施形態では、図１及び図２に示したように、駆動装置２０は照度調整部５０及び電圧印加部６０を含み、照度調整部５０に接続された光源３０及び電圧印加部６０に接続された表示媒体１０を制御するようにしたが、照度調整部５０及び電圧印加部６０を駆動装置２０の外部に持たせるようにしてもよい。
【０１５１】
図１８はこの場合の表示システム１２０を示した図である。
【０１５２】
表示システム１２０は、駆動装置２０１、表示ユニット２５及び駆動装置２０１と表示ユニット２５を接続する通信回線２８を含んで構成される。そして、表示ユニット２５は、表示媒体１０、表示媒体１０の表示側電極３、背面側電極４間に電圧を印加する電圧印加装置２１、光源３０及び光源３０から表示媒体１０の表示基板１に照射される光の照度を調整する照度調整装置２２を含んで構成されると共に、電圧印加装置２１は表示媒体１０及び通信回線２８と各々接続され、照度調整装置２２は光源３０及び通信回線２８と各々接続されている。
【０１５３】
図１９は駆動装置２０１の電気系の要部構成を示すブロック図である。図１９が、図３に示した駆動装置２０の電気系の要部構成を示すブロック図と異なる点は、照度調整部５０及び電圧印加部６０が含まれていない点であり、その他の部分は駆動装置２０の電気系の要部構成を示すブロック図と同じ構成である。
【０１５４】
そこで、表示システム１２０では、照度調整装置２２に照度調整部５０の機能を持たせると共に、電圧印加装置２１に電圧印加部６０の機能を持たせるようにした。そして、駆動装置２０１の制御部４０が通信回線Ｉ／Ｆ７０に接続された通信回線２８を介して、照度調整装置２２の照度調整部５０及び電圧印加装置２１の電圧印加部６０と相互に通信を行うことで、複数の表示ユニット２５の制御を実施するようにする。
【０１５５】
なお、通信回線２８に接続される表示ユニット２５の数に制限はなく、通信回線２８に１つの表示ユニット２５が接続される形態や、通信回線２８に３つ以上の表示ユニット２５が接続される形態であってもよいことは言うまでもない。また、通信回線２８は有線回線及び無線回線の何れであってもよい。
【符号の説明】
【０１５６】
１     表示基板
２     背面基板
３     表示側電極
４     背面側電極
５     間隙部材
６     分散媒
１０   表示媒体
１１Ｃ シアン色粒子（群）
１１Ｒ 赤色粒子（群）
１２Ｗ 白色粒子（群）
１５   表示部
２０   駆動装置
３０   光源
４０   コンピュータ（制御部）
５０   照度調整部
６０   電圧印加部
１００、１１０  表示システム
【要約】
【課題】画像の初期化に伴う広告効果の低減を抑制する。
【解決手段】駆動装置２０は、反射型の表示媒体である表示媒体１０を含む表示部に表示される画像の初期化に応じて、光源３０から表示媒体１０に照射される光の照度を制御する。
【選択図】図１【図１】
0005494877.tif 000002
【図３】
0005494877.tif 000003
【図４】
0005494877.tif 000004
【図７】
0005494877.tif 000005
【図１１】
0005494877.tif 000006
【図１３】
0005494877.tif 000007
【図１６】
0005494877.tif 000008
【図１８】
0005494877.tif 000009
【図１９】
0005494877.tif 000010
【図２】
0005494877.tif 000011
【図５】
0005494877.tif 000012
【図６】
0005494877.tif 000013
【図８】
0005494877.tif 000014
【図９】
0005494877.tif 000015
【図１０】
0005494877.tif 000016
【図１２】
0005494877.tif 000017
【図１４】
0005494877.tif 000018
【図１５】
0005494877.tif 000019
【図１７】
0005494877.tif 000020